(57)【特許請求の範囲】
【請求項１】
画像情報に応じて光学像を形成する電気光学装置と、この電気光学装置で形成された画像を拡大投写する投写レンズと、前記画像の投写位置を調整するレンズ位置調整機構と、本体を覆う外装ケースとを備えた投写型表示装置であって、
前記投写レンズは、前記外装ケースに設けられる開口から外部に突出され、前記投写レンズと前記外装ケースの前記開口の内側面との間に形成される隙間は、弾性と防塵性を有する通気部材で塞がれ、前記レンズ位置調整機構は、前記電気光学装置側に固定される固定部材と、前記投写レンズが接続されて前記固定部材に摺動可能に設けられる可動部材とを備え、
前記固定部材と可動部材との間の隙間は、気密部材で塞がれていることを特徴とする投写型表示装置。
【請求項２】
請求項１に記載の投写型表示装置において、
前記気密部材は、少なくともその表面が黒色とされていることを特徴とする投写型表示装置。
【請求項３】
請求項１または請求項２に記載の投写型表示装置において、
前記気密部材は、フェルト部材で形成されていることを特徴とする投写型表示装置。
【請求項４】
請求項１または請求項３に記載の投写型表示装置において、
前記レンズ位置調整機構は、前記外装ケースに対して突没自在に設けられた回転ノブで動作可能とされていることを特徴とする投写型表示装置。
【発明の詳細な説明】
【０００１】
【発明の属する技術分野】
本発明は、画像情報に応じて光学像を形成する電気光学装置と、この電気光学装置で形成された画像を拡大投写する投写レンズと、画像の投写位置を調整するレンズ位置調整機構と、これら本体を覆う外装ケースとを備えた投写型表示装置に関する。
【０００２】
【背景技術】
従来より、光源を有する光源ユニットと、その光源から出射される光束を画像情報に応じて光学像を形成する電気光学装置と、この電気光学装置で形成された画像を拡大投写する投写レンズと、画像の投写位置を調整するレンズ位置調整機構と、これら構成部品を収納する外装ケースとを備えた投写型表示装置が知られている。
【０００３】
このような投写型表示装置は、会議、学会、展示会等でのマルチメディアプレゼンテーションに広く利用される。
【０００４】
この際、投写型表示装置による表示画面の視認性を向上するために、表示画面の高輝度化を行う場合がある。
【０００５】
一般的に表示画面の高輝度化は、複数の投写型表示装置を重ね（スタックさせ）、各投写型表示装置から投写される画像を重ね合わせることによって行われるが、各投写型表示装置から投写される画像の投写位置を完全に一致させないと、表示される画像がずれてしまうという問題が生じる。
【０００６】
このため、従来の投写型表示装置では、レンズ位置調整機構で投写レンズを上下に動作させ、投写レンズから投写される画像の投写位置を調整できるようになっており、各投写型表示装置で画像の投写位置を調整することで画像のずれを防止でき、これにより、表示画面の高輝度化が行えるようになっていた。
【０００７】
ところで、投写型表示装置の外装ケース内には、光源、電源ユニット等の発熱部材が収納されているため、装置内部を効率的に冷却する必要がある。
【０００８】
このため、従来の投写型表示装置では、構成部品を収納する外装ケースに、装置内部にゴミやほこりが入らない程度のメッシュ状の吸気孔を形成しておき、より多くの冷却空気で装置内部を確実に冷却できるようにしていた。
【０００９】
【発明が解決しようとする課題】
しかしながら、このようなメッシュ状の吸気孔は、外装ケースを射出成形等で形成する際に同時に形成することが可能であるが、吸気孔一つ一つの大きさが非常に小さいので、成形時に出るバリ等によって目詰まりが生じることがある。このような場合、目詰まり等を取り除き、外装ケースを貫通する完全な吸気孔を形成する作業を別途行わなくてはならず、非常に手間がかかるので、外装ケースの製作作業ひいては投写型表示装置の製造作業が煩雑になるという問題がある。また、外装ケースにメッシュ状の吸気孔を形成すると、投写型表示装置の外観が損なわれるという問題もある。
【００１０】
本発明の目的は、外装ケースの製造の容易化を図るとともに、冷却効率を良好に維持でき、かつ、外観性の良好な投写型表示装置を提供することにある。
【００１１】
【課題を解決するための手段】
本発明に係る投写型表示装置は、光源と、その光源から出射される光束を画像情報に応じて光学像を形成する電気光学装置と、この電気光学装置で形成された画像を拡大投写する投写レンズと、画像の投写位置を調整するレンズ位置調整機構と、これら本体を覆う外装ケースとを備えた投写型表示装置であって、前記投写レンズは、前記外装ケースに設けられている開口から外部に突出され、前記投写レンズと前記外装ケースの前記開口の周縁との間に形成される隙間は、防塵性を有する通気部材で塞がれていることを特徴とするものである。
【００１２】
このような本発明によれば、外装ケースに設けられている開口から外部に突出されている投写レンズは、画像の投写位置を調整するためにレンズ位置調整機構によって、例えば、上下に動作するようになっているので、外装ケースの開口は、投写レンズが上下に動作する分大きく形成されている。つまり、外装ケースの開口の周縁と投写レンズとの間には、内外を連通する十分な隙間が設けられていることになり、この隙間に、防塵性を有する通気部材を設ければ、通気部材を介して確実に冷却用の空気を装置内部に吸入することが可能となる。これにより、外装ケースにメッシュ状の吸気孔を形成する必要がなくなるので、外装ケースの製造の容易化が図れ、ひいては投写型表示装置の製造作業が容易に行えるとともに、冷却効率が良好に維持され、かつ、外観性を良好にすることが可能となる。
【００１３】
以上の投写型表示装置において、レンズ位置調整機構は、電気光学装置側に固定される固定部材と、投写レンズが接続されて固定部材に摺動可能に設けられる可動部材とを備えており、固定部材と可動部材との間の隙間は、気密部材で塞がれていることが望ましい。
【００１４】
このように、固定部材と可動部材との間の隙間に気密部材を設ければ、固定部材と可動部材との間の隙間が充分に密閉されるので、レンズ位置調整機構の摺動部分から光が漏れる心配がない。
【００１５】
この際、気密部材の表面が黒色とされていれば、投写レンズの光入射側に当たって反射した光を気密性部材で吸収することが可能となり、これにより、装置内部の反射率を充分に抑制することが可能となる。
【００１６】
また、気密部材がフェルト部材で形成されていれば、固定部材と可動部材との間の気密性を充分に確保しつつ、固定部材に対する可動部材の摺動性能を向上させることが可能となる。
【００１７】
さらに、レンズ位置調整機構は、前記外装ケースに対して突没自在に設けられた回転ノブで動作可能とされていることが好ましい。
【００１８】
このようにすれば、レンズ位置調整機構を動作させる場合には、回転ノブを外装ケースに対して突出させ、逆に動作させない場合には、回転ノブを装置内部側に押し込んで外装ケースに対して突出しないようにしておけばよい。
【００１９】
従って、レンズ位置調整機構を動作させる場合のみ回転ノブを突出させればよいので、投写型表示装置を持ち運ぶ際などに、回転ノブが机等に接触して破損するおそれがなく、これにより取扱いが容易になる。
【００２０】
その上、回転ノブを装置内部に押し込んでおけば、回転ノブの端部と外装ケースの表面とを略面一とすることが可能となるので、外装ケースの表面がスッキリし、投写型表示装置の外観が向上する。
【００２１】
【発明の実施の形態】
以下、本発明の実施の一形態を図面に基づいて説明する。
【００２２】
（１）装置の全体構成
図１、図２には、本実施形態に係る投写型表示装置１の概略斜視図が示され、図１は上面側から見た斜視図、図２は下面側から見た斜視図である。
【００２３】
投写型表示装置１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は外装ケース２の内部に収納されている。
【００２４】
（２）外装ケースの構造
外装ケース２は、基本的には、装置上面を覆うアッパーケース３と、装置底面を構成するロアーケース４と、前面部分を覆うフロントケース９と、背面部分を覆うリアケース５（図２）とから構成され、リアケース５が樹脂製である他はマグネシウム等の金属製である。
【００２５】
図１に示されるように、アッパーケース３の上面において、その前方側の左右の端には、スピーカ用の多数の連通孔２５Ｒ、２５Ｌが形成されている。また、これらの連通孔２５Ｒ、２５Ｌ間には、投写型表示装置１の画質等を調整するための操作パネル６０が設けられている。さらに、フロントケース９の向かって右上部分には、図示略のリモートコントローラからの光信号を受信するための受光部７０が設けられている。
【００２６】
図２に示されるように、ロアーケース４の底面の略中央には、装置内部を冷却する冷却空気を取り入れるための空気取入口２４０が設けられている。空気取入口２４０は、樹脂製のフィルタ交換蓋２４１に設けられており、このフィルタ交換蓋２４１をロアーケース４の側面側から着脱することで、内部のフィルタを交換することが可能である。
【００２７】
また、ロアーケース４の底面には、その前端の左右の角部にフット３１Ｒ、３１Ｌが設けられ、後端の略中央部にフット３１Ｃが設けられている。尚、フット３１Ｒ、３１Ｌの上下の進退量を調整することによって、表示画面の傾きを変更することが可能である。
【００２８】
リアケース５は、図２に示されるように、装置背面側に配置された各種の入出力端子群５１に対応して設けられているインターフェースパネル５０１と、装置内部の空気を排出する通気口としての排気口１６０および受光部７０が設けられた光源ランプ交換蓋５０２とで構成されている。また、装置背面側には、外部電力供給用のＡＣインレット５０が配置されている。
【００２９】
外装ケース２の側面には、アッパーケース３とロアーケース４との接続部分に孔１１が形成されており、この孔１１には、装置１の内部に取り付けられている後述するポップアップ式の回転ノブ２０の端面が露出している。そして、この回転ノブ２０の端面と外装ケース２の表面とは、略面一となっている。
【００３０】
（３）装置の内部構造
図３には、投写型表示装置１の内部構造が示されている。
【００３１】
この図に示されるように、装置１の内部には、投写レンズ６の一側方に配置された電源としての電源ユニット７、電源ユニット７の後方に配置された光源ユニットとしての光源ランプユニット８、光学系を構成する光学ユニット１０、ユニット１０内の電気光学装置９２５を駆動するドライバーボード（図示せず）、および装置１全体を制御するメインボード（図示せず）などが収容されている。
【００３２】
電源ユニット７は、ＡＣインレット５０からの電力を変圧して、光源ランプユニット８や、ドライバーボード、メインボード、電気光学装置９２５の下方または上下両方に配置された吸気ファン（図示せず）、および光源ランプユニット８の後方に配置された排気ファン１６などに供給するものであり、電源フィルタ、トランス（変圧器）、整流回路、平滑回路、電圧安定回路等が形成された電源回路基板の他、光源ランプユニット８の光源ランプ１８１を駆動するためのランプ駆動基板等を備えている。
【００３３】
光源ランプユニット８は、投写型表示装置１の光源部分を構成するものであり、図４にも示されるように、光源ランプ１８１およびリフレクタ１８２からなる光源装置１８３と、この光源装置１８３を収納するランプハウジング（図示せず）とを有している。このような光源ランプユニット８は、前述した吸気ファンからの冷却空気や、外装ケース２と投写レンズ６との間の隙間９２（図６）から吸引される冷却空気で冷却されるが、冷却空気は、先ず、吸引された直後に電気光学装置９２５および電源ユニット７等を冷却し、この後に装置１内部の略全域を冷却するように後方に流れ、最終的にはその大部分が光源ランプユニット８内を通って背後の排気ファン１６で排気される。従って、排気ファン１６の直前に光源ランプユニット８が配置されていることにより、その内部の光源装置１８３を大量の冷却空気で効率よく冷却することが可能である。
【００３４】
光学ユニット１０は、光源ランプユニット８から出射された光束を、光学的に処理して画像情報に対応した光学像を形成するユニットであり、照明光学系９２３、色分離光学系９２４、電気光学装置９２５、および色合成光学系としてのプリズムユニット９１０とを含んで構成される。電気光学装置９２５およびプリズムユニット９１０以外の光学ユニット１０の光学素子は、上下のライトガイド（図示せず）の間に上下に挟まれて保持された構成となっている。尚、これらの上ライトガイド、下ライトガイドは一体とされて、ロアーケース４の側に固定ネジにより固定されている。また、これらのライトガイドは、プリズムユニット９１０の側に同じく固定ネジによって固定されている。
【００３５】
直方体状のプリズムユニット９１０は、図５に示されるように、マグネシウムの一体成形品から構成される側面略Ｌ字状のヘッド体９０３の裏面側に固定ネジにより固定されている。また、電気光学装置９２５を構成する各液晶パネル９２５Ｒ、９２５Ｇ、９２５Ｂは、プリズムユニット９１０の３側面に固定部材を介して固定されている。
【００３６】
ドライバーボードは、電気光学装置９２５の各液晶パネル９２５Ｒ、９２５Ｇ、９２５Ｂを駆動・制御するためのものであり、光学ユニット１０の上方に配置される。
【００３７】
メインボードは、投写型表示装置１全体を制御する制御回路が形成されたものであり、前記ドライバーボードの上方に配置される。このようなメインボードは、前述のドライバーボードおよび操作パネル６０と電気的に接続される。
【００３８】
（４）光学系の構造
次に、投写型表示装置１の光学系即ち光学ユニット１０の構造について、図４に示す模式図に基づいて説明する。
【００３９】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する電気光学装置９２５と、変調後の各色光束を合成する色合成光学系としてのプリズムユニット９１０とを含んで構成されている。
【００４０】
照明光学系９２３は、第１のレンズ板９２１と、その出射側に配置された第２のレンズ板９２２と、光源ランプユニット８から出射された光束Ｗの光軸１ａを装置１前方向に折り曲げる反射ミラー９３１とを備えている。
【００４１】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００４２】
第２のレンズ板９２２は、マトリクス状に配置された複数の矩形レンズを有しており、第１のレンズ板９２１から出射された各部分光束を電気光学装置９２５を構成する液晶パネル９２５Ｒ、９２５Ｇ、９２５Ｂ（後述）上に重畳させる機能を有している。
【００４３】
このように、本例の投写型表示装置１では、照明光学系９２３により、液晶パネル９２５Ｒ、９２５Ｇ、９２５Ｂ上をほぼ均一な照度の光で照明することができるので、照度ムラのない投写画像を得ることができる。
【００４４】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４５】
赤色光束Ｒは、この青緑反射ダイクロイックミラー９４１を通過し、後方の反射ミラー９４３で直角に反射されて、赤色光束Ｒの出射部９４４からプリズムユニット９１０の側に出射される。
【００４６】
次に、青緑反射ダイクロイックミラー９４１で反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。
【００４７】
この緑反射ダイクロイックミラー９４２を通過した青色光束Ｂは、青色光束Ｂの出射部９４６からリレー光学系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００４８】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００４９】
このように平行化された赤色、緑色光束Ｒ、Ｇは、入射側偏光板９６０Ｒ、９６０Ｇを通って光変調装置である液晶パネル９２５Ｒ、９２５Ｇに入射して変調され、各色光に対応した画像情報が付加される。すなわち、これらの液晶パネル９２５Ｒ、９２５Ｇは、前述のドライバーボードによって画像情報に応じてスイッチング制御されて、これにより、ここを通過する各色光の変調が行われる。
【００５０】
一方、青色光束Ｂは、リレー光学系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００５１】
リレー光学系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。
【００５２】
この際、光束Ｗの光軸１ａおよび各色光束Ｒ、Ｂ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、リレー光学系９２７を介在させることにより、光量損失を抑制できる。
【００５３】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００５４】
（５）投写レンズの取付構造
図５において、投写レンズ６は、光入射側がレンズ位置調整機構４０に接続され、このレンズ位置調整機構４０によって上下に動作されるようになっている。また、図１に示されるように、投写レンズ６の光出射側は、フロントケース９に形成された開口９３から外部に突出している。
【００５５】
この開口９３は、投写レンズ６がレンズ位置調整機構４０によって上下に動作することを考慮して、投写レンズ６の直径よりも大きく長孔状に形成され、当該開口９３の周縁には、装置１の内部に向かって円筒状のフランジ部９０が形成されている。
【００５６】
このため、投写レンズ６の外周面と、フロントケース９の開口９３の周縁（フランジ部９０）との間には隙間９２が形成されるが、この隙間９２は、図６にも示されるように、フランジ部９０に両面テープ等で取り付けられた防塵性および弾性を有する通気部材９１で塞がれている。これにより、隙間９２から装置１の内部に当該装置内部を冷却する冷却空気が吸入されるようになっている。
【００５７】
一方、通気部材９１が弾性を有しているので、隙間９２を塞ぎながらも、図７に示されるように、図示しないレンズ位置調整機構で投写レンズ６を上方向に動かすことができ、また、図８に示されるように、投写レンズ６を下方向に動かすことができる。なお、通気部材９１としては、連続気泡を有するスポンジの他、メッシュ状の布や金属網を採用できる。また、通気部材９１の色は、外装ケース２と同じ色とされ、外部から目立たないようになっている。
【００５８】
（６）レンズ位置調整機構の構造
図９には、レンズ位置調整機構４０が示されている。レンズ位置調整機構４０は、ヘッド体９０３に固定される固定部材４０１と、投写レンズ６の光入射側が接続されて固定部材４０１に摺動可能に取り付けられる可動部材４０２とを備えている。
【００５９】
固定部材４０１は、中央部分に長孔形状の開口４１１を有する略四角板状の本体４１０と、本体４１０の両側に取り付けた第１のガイド部材４１２および第２のガイド部材４１３と、第１のガイド部材４１２に隣接して設けられた回転伝達機構４１４とを備えている。
【００６０】
第１のガイド部材４１２は、上下方向に沿って延びる棒状の軸部４１７Ａと、この軸部４１７Ａの両端を支持する略円筒状の軸受部４１８とを備えている。軸部４１７Ａは、外周面にねじが形成されたねじ軸部材であり、この底部には、歯車４１９が取り付けられ、軸部４１７Ａと歯車４１９とは、一体となって回動するようになっている。
【００６１】
第２のガイド部材４１３は、第１のガイド部材４１２と同様に、上下方向に沿って延びる棒状の軸部４１７Ｂと、この軸部４１７Ｂの両端を支持する略円筒状の軸受部４１８とを備えている。軸部４１７Ｂは、外周面にねじが形成されていない軸部材である。
【００６２】
回転伝達機構４１４は、軸部４２０と、この軸部４２０の両端を支持する軸受部４２１と、前記歯車４１９に噛み合う平歯面を有して軸部４２０に一体に取り付けられた第１の歯車４２２と、この第１の歯車４２２の傘歯面に噛み合う第２の歯車４５９とを備え、この第２の歯車４５９には、回転ノブ２０が取り付けられている。
【００６３】
可動部材４０２は、中央部分に略真円形状の開口４５１を有する略四角板状の本体４５０と、本体４５０の四隅にそれぞれ設けられた略円筒状の軸受部４５２と、本体４５０の固定部材４０１に対向する面４５０Ａに形成される円筒部４５３と、一方の側部に取り付けられ、雌ねじ孔４５４Ａが形成された摺動部材４５４とを備えている。各軸受部４５２は、固定部材４０１の軸部４１７Ａ、４１７Ｂに貫挿され、摺動部材４５４の雌ねじ孔４５４Ａは、軸部４１７Ａに螺合されている。
【００６４】
可動部材４０２の固定部材４０１側の対向面には、気密性を有する黒色のフェルト部材で形成された気密部材４１６が設けられており、この気密部材４１６の外周形状は、長円状であるため、可動部材４０２を上下に摺動させても、可動部材４０２と固定部材４０１との間に隙間が生じないようになっている。
【００６５】
このようなレンズ位置調整機構４０は、第２の歯車４５９に組み込まれたポップアップ式の回転ノブ２０で動作するようになっている。回転ノブ２０は、図１０に示されるように、第２の歯車４５９に組み込まれる芯部２０１と、この芯部２０１に嵌合するカバー部２０２と、芯部２０１のフランジ部分およびカバー部２０２のフランジ部分間に介装されるバネ２０３と、カバー部２０２を覆う化粧部材２０８（二点鎖線で示す）とを備えている。
【００６６】
芯部２０１の先端側および基端側には、カバー部２０２の内部に形成されている突出部２０４、２０５に対応した係止部２０６、２０７が形成されている。これにより、カバー部２０２は、押圧される毎に芯部２０１に対する係止位置が替わるようになり、図６の実線および二点鎖線に示されるように、外装ケース２に対して突没されるようになっている。
【００６７】
詳しくは、カバー部２０２を一回押すと、突出部２０４が係止部２０７に係止され、もう一回押すと、突出部２０４が係止部２０７から外れ、カバー部２０２がバネ２０３によって芯部２０１の先端側に移動（ポップアップ）し、突出部２０５が係止部２０６に係止される。
【００６８】
ここで、カバー部２０２を芯部２０１の基端側で係止した状態で回転させても芯部２０１は回転しないようになっている。逆に、カバー部２０２を芯部２０１の先端側で係止した状態で回転させると、芯部２０１は回転する。
【００６９】
本実施形態では、レンズ位置調整機構４０を動作させる際には、化粧部材２０８が設けられているカバー部２０２を外装ケース２に対して突出させ、当該カバー部２０２を回転させることで使用するようになっている。つまり、カバー部２０２を回転させると、カバー部２０２を掛止している芯部２０１が回転し、第２の歯車４５９を介して第１の歯車４２２が回転する。
【００７０】
第１の歯車４２２が回転すると、歯車４１９が回転するとともに、軸部４１７Ａが回転し、その回転方向に応じて、摺動部材４５４が上下に摺動し、可動部材４０２も上下に摺動する。可動部材４０２には、投写レンズ６が接続されていることから、これにより、投写レンズが上下に動作し、画像の投写位置が調整可能となっている。
【００７１】
（７）実施形態の効果
前述のような本実施形態によれば、以下のような効果がある。
【００７２】
すなわち、投写型表示装置１では、外装ケース２の開口９３の周縁と、投写レンズ６との間に形成される隙間９２に、防塵性を有する通気部材９１を取り付けたので、通気部材９１を介して確実に冷却用の空気を装置１の内部に吸入することができる。これにより、外装ケース２にメッシュ状の吸気孔を形成する必要がなくなるので、外装ケース２の製造の容易化を図ることができて投写型表示装置１の製造作業を容易にできるとともに、冷却効率が良好に維持され、かつ、外観を向上させることができる。また、通気部材９１は、弾性も有しているので、投写レンズ６の移動を妨げることがない。また、通気部材９１の色を、外装ケース２と同じ色にしたので、投写型表示装置１の外装が統一され、当該投写型表示装置１の外観をより一層向上できる。
【００７３】
さらに、可動部材４０２の固定部材４０１側の対向面に気密部材４１６を設けたので、固定部材４０１と可動部材４０２との間の隙間を充分に密閉でき、レンズ位置調整機構４０の摺動部分から光が漏れる心配がない。
【００７４】
さらに、黒色の気密部材４１６を用いたので、可動部材４０２に接続される投写レンズ６の光入射側に、電気光学装置９２５で形成された画像となる光が当たって反射しても、その光を気密部材４１６で吸収することができる。これにより、装置１の内部の反射率を充分に抑えることができる。また、気密部材４１６をフェルト部材で形成したので、固定部材４０１と可動部材４０２との間の気密性を充分に確保しつつ、固定部材４０１に対する可動部材４０２の摺動性能を向上できる。
【００７５】
また、レンズ位置調整機構４０を動作させる場合には、カバー部２０２を外装ケース２に対して突出させ、逆に動作させない場合には、カバー部２０２を装置１の内部に押し込んで外装ケース２に対して突出しないようにした回転ノブ２０を用いたので、レンズ位置調整機構４０を動作させる場合のみ回転ノブ２０のカバー部２０２を突出させればよく、投写型表示装置１を持ち運ぶ際などに、回転ノブ２０が机等に接触して破損するおそれがなく、これにより、取扱いを容易にできる。
【００７６】
その上、回転ノブ２０のカバー部２０２を装置１の内部に押し込んでおくことで、回転ノブ２０の端面と外装ケース２の表面とが略面一となる。このため、外装ケース２の表面がスッキリし、投写型表示装置１の外観を向上できる。
【００７７】
（８）実施形態の変形
尚、本発明は上述した実施形態に限定されるものではなく、以下に示すような変形をも含むものである。
【００７８】
例えば、前記実施形態では、レンズ位置調整機構４０の可動部材４０２は、回転ノブ２０で調整していたが、これに限らず、画像の投写位置を調整する毎に、外装ケース２を外し、手で可動部材４０２を動かして調整してもよい。但し、回転ノブ２０で調整した方が、簡単に調整できる点で好ましい。
【００７９】
また、前記実施形態では、回転ノブ２０は、外装ケース２に対して突没自在に設けられていたが、これに限らず、常時外装ケース２に対して突出していてもよい。
【００８０】
さらに、前記実施形態では、固定部材４０１と可動部材４０２との間の隙間を塞ぐように気密部材４１６が設けられていたが、これに限らず、固定部材４０１の開口４１１の大きさが可動部材４０２の開口４５１の大きさよりも充分小さく、可動部材４０２が上下に移動しても、固定部材４０１と可動部材４０２との間に隙間が生じなければ設けなくてもよい。
【００８１】
また、前記実施形態では、通気部材９１は、外装ケース２と同じ色を有していたが、異なる色を有していてもよい。
【００８２】
さらに、通気部材９１としては、弾性を有していなくてもよく、例えば、投写レンズ６の移動を妨げることがなく、隙間９２を塞ぐような蛇腹状の金属網等のものでもよい。
【００８３】
さらに、前記実施形態では、気密部材４１６は黒色の外装を有していたが、これに限らず、白色や、赤色、青色等、どのような色彩の外装を有していてもよい。
【００８４】
また、前記実施形態では、レンズ位置調整機構４０は、投写レンズ６を上下に動作させるようになっていたが、これに限らず、左右に動作させるようになっていてもよく、その方向性は、実施に当たって適宜設定すればよい。
【００８５】
さらに、前記実施形態では、電気光学装置９２５は、ＴＦＴ駆動の液晶パネル９２５Ｒ、９２５Ｇ、９２５Ｂから構成されていたが、これに限らず、他の駆動方式から構成される光変調装置を備えた投写型表示装置に本発明を採用してもよい。
【００８６】
そして、前記実施形態では、電気光学装置９２５は、３枚の液晶パネル９２５Ｒ、９２５Ｇ、９２５Ｂから構成されていたが、これに限らず、１枚、２枚の液晶パネルから構成される光変調装置に本発明を採用してもよい。
【００８７】
また、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００８８】
さらに、前記実施形態における電気光学装置９２５は、光束Ｒ、Ｇ、Ｂを透過して変調する形式のものであったが、これに限らず、入射した光を反射しつつ変調して出射する反射型の光変調装置を備えた投写型表示装置に本発明を採用してもよい。
【００８９】
その他、本発明の実施の際の具体的な構造および形状等は、本発明の目的を達成できる範囲で他の構造等としてもよい。
【００９０】
【発明の効果】
前述のような本発明によれば、外装ケースの開口の周縁と、投写レンズとの間に形成される隙間に、防塵性を有する通気部材を設けたので、通気部材を介して確実に冷却用の空気を装置内部に吸入することができる。これにより、外装ケースの製造の容易化を図ることができて投写型表示装置の製造作業を容易に行うことができるとともに、冷却効率が良好に維持され、かつ、外観性を良好にできるという効果がある。
【図面の簡単な説明】
【図１】本発明の実施形態に係る投写型表示装置の上部から見た外観斜視図である。
【図２】前記実施形態における投写型表示装置の下部から見た外観斜視図である。
【図３】前記実施形態における投写型表示装置の内部構造を表す斜視図である。
【図４】前記実施形態における光学系の構造を説明するための模式図である。
【図５】前記実施形態の構成部品を示す斜視図である。
【図６】前記実施形態における投写型表示装置を後部から見た斜視図である。
【図７】前記実施形態における投写型表示装置の正面図である。
【図８】前記実施形態における投写型表示装置の正面図である。
【図９】前記実施形態におけるレンズ位置調整機構を示す分解斜視図である。
【図１０】前記実施形態における回転ノブを示す断面図である。
【符号の説明】
１  投写型表示装置
２  外装ケース
６  投写レンズ
７  電源である電源ユニット
８  光源ユニットである光源ランプユニット
１６  ファンである排気ファン
２０  回転ノブ
４０  レンズ位置調整機構
９１  通気部材
１６０  通気口である排気口
１８１  光源である光源ランプ
４０１  固定部材
４０２  可動部材
４１６  気密部材
９２５  電気光学装置
【図１】
0003606094.tif 000002
【図２】
0003606094.tif 000003
【図３】
0003606094.tif 000004
【図４】
0003606094.tif 000005
【図５】
0003606094.tif 000006
【図６】
0003606094.tif 000007
【図７】
0003606094.tif 000008
【図８】
0003606094.tif 000009
【図９】
0003606094.tif 000010
【図１０】
0003606094.tif 000011